(57)【要約】【課題】従来のイボつきグリップボールは２個で使用することが多いが、１つだけなくしてしまい結局使わなくなることがよくある。また指のツボは刺激するが指先の強化という目標を十分満たしているとはいえない。【解決手段】本発明のイボつきグリップボールは、内部に磁石と磁石、磁石と鉄球を入れ２個以上で使うとき磁力により２つがくっつくようにした。【選択図】図１
2014200659.tif 000002
【特許請求の範囲】
【請求項１】
複数の球状体の表面に複数の突起を設け、前記複数の球状体の内部に磁石を設けたことを特徴とする磁石内蔵突起付きグリップボール。
【請求項２】
複数の球状体の表面に複数の突起を設け、前記複数の球状体の少なくともひとつ以上の球状体の内部に鉄の塊を設け、残りの球状体の内部に磁石を設けたことを特徴とする磁石内蔵突起付きグリップボール。
【請求項３】
二個の球状体の表面に複数の突起を設け、前記球状体の両方の内部に磁石を設けたことを特徴とする磁石内蔵突起付きグリップボール。
【請求項４】
二個の球状体の表面に複数の突起を設け、前記球状体の一方の内部に磁石を設け、もう一方の球状体の内部に鉄の塊を設けたことを特徴とする磁石内蔵突起付きグリップボール。
【発明の詳細な説明】
【技術分野】
【０００１】  本発明は、手のツボ等を刺激するため表面に複数の突起あるいはイボのついたグリップボールに関するものである。
【背景技術】
【０００２】  これまでの突起付きグリップボールとしては、たとえば図１に示すようなものを使用していた。すなわち球体の表面に無数の突起あるいはイボを設けた木やプラスチック製の球体である。【０００３】  通常ひとつで使用され販売されることは少なく、２個セットのものが多い。【０００４】  ところで、従来の突起付きグリップボールは２個で使用するものが多かったが、二つをつなぎとめる手段を備えず、結局片方をなくしてしまい使われなくなることが多かった。【０００５】  またふたつの突起付き球体を手にもち、ツボを刺激するように握って使用するだけだから、飽きやすく指の運動にもあまりならない。【０００６】
【特許文献１】  特開平９−１８２８２２
【発明の概要】
【発明が解決しようとする課題】
【０００７】  本発明が解決しようとする課題は二つセットで使用する場合、片方をなくすことを少なくし、手にツボの刺激を与えるだけでなく、指先の運動機能の向上機構を強化した突起付きグリップボールを提供する点にある。
【課題を解決するための手段】
【０００８】  請求項１に係るグリップボールは、複数の球状体の表面に複数の突起を設け、前記複数の球状体の内部に磁石を設けたことを特徴とする磁石内蔵突起付きグリップボールである。【０００９】  複数の球状体とは通常グリップボールは２個で使用されることが多いが三つや四つでもよいということである。また球状体とは立方体の四隅を切ったもの、卵形、サッカーボールの各面を平面にした多面体のことであり、完全に球体でない形も含む意味である。【００１０】  複数の突起を設けるとは、複数の球体の表面にツボ刺激用の突起あるいはイボを無数に設けることである。【００１１】  複数の球体の内部に磁石を設けるとは、表面に無数の突起あるいはイボを設けるが、球体の内部に磁石を設けるという意味である。【００１２】  磁石の設け方は磁石を球体の内部に埋め込んで磁石を固定する方式と、球体の内部に空洞を設けその空洞の中に磁石を入れ磁石は固定しない方式、両方使用できる。また、両方式の中間の方式として、球体の内部に空洞を設けその空洞に磁石を入れ固定する方式も利用できる。【００１３】  磁石の形は球形である必要はなく、立方体でも円柱状でもよい。また磁石に鉄心をつけると磁力が増し有効であり本発明に利用できる。また磁石の極の配置であるが磁石を固定する方式を採用するにしろ固定しない方式を採用するにせよ、手の中で転がしながら使用するので磁石の極を特に意識して考えなくてもよい。【００１４】  請求項２に係るグリップボールは複数の球状体の表面に複数の突起を設け前記複数の球状体の少なくともひとつ以上の球状体の内部に鉄の塊を設け、残りの球状体の内部に磁石を設けたことを特徴とする磁石内蔵突起付きグリップボールてある。【００１５】  本発明は複数の球状体の内部に磁石だけでなく鉄の塊も入れる発明である。例えばひとつの球状体の内部に鉄の塊を入れ、ほかの二つの球体の内部に磁石を入れると、球状体内部の鉄の塊と磁石がひきつけあい球状体同士がくっつきあう。そのため、持ちやすく、球状体同士がくっついているのを引きはがす指先の動作を楽しむことができる。【００１６】  鉄の塊と表記したが、鉄球や立方体の鉄の塊、多角形の鉄の塊、鉄の針金を丸めたものなどのことである。【００１７】  請求項３に係るグリップボールは二個の球状体の表面に複数の突起を設け、前記球状体の両方の内部に磁石を設けたことを特徴とする磁石内蔵突起付きグリップボールである。本発明は球状体の数を二個に限定し、より実際の実施例に近いグリップボールを定義している。それ以外の点は請求項１と同様である。【００１８】  請求項４に係るグリップボールは二個の球状体の表面に複数の突起を設け、前記球状体の一方の内部に磁石を設け、もう一方の球状体の内部に鉄の塊を設けたことを特徴とする磁石内蔵突起付きグリップボールである。本発明は二個の球状体のうちひとつの球状体の内部に磁石を設け、もうひとつの球状体の内部に鉄の塊を設け、より実際の実施例に近いグリップボールを定義している。それ以上の点は請求項２と同様である。
【発明の効果】
【００１９】  本発明の磁石内蔵突起付きグリップボールを使用するとき、磁石と磁石、磁石と鉄の塊がくっつくので複数、例えば二個で使用する場合、従来のグリップボールの二個セットに比べ片方をなくしにくい。【００２０】  また、磁石と磁石、磁石と鉄の塊が磁力により、くっついているので指先でそれを引きはがす運動を、従来のグリップボールのように単に握るだけの運動に付け加えることができ新たな指先運動ができるようになる。【００２１】  この新たに付け加えられた指先運動は、指をたくみに動かすことになるので従来のグリップボールより指先を強化でき、脳を刺激するので健康の維持だけでなく、リハビリなどにも利用できる。
【図面の簡単な説明】
【００２２】
【図１】本発明を実施するための最良の形態を示す外観および断面図である。
【図２】実施例を示す断面図である。
【発明を実施するための最良の形態】
【００２３】  本発明を実施するための最良の形態を図１に基づいて説明する。球状体と突起は木やプラスチックにより構成する。突起の数は四個程度から無数にある状態までいろいろ考えられる。一般的に無数の突起がある方が消費者に好まれるようである。【００２４】  球状体に内蔵する磁石には磁力を増すため鉄心をつけるほうがよい。また球状体に内蔵する磁石および鉄の塊の組み合わせ方であるが、二個の場合一方が鉄心付き磁石で、もう一方が鉄の塊である組み合わせが最良である。【００２５】  球状体の個数は二個が最良である。従来の突起付きグリップボールの大半は二個セットであり、世間の人はそれに慣れている。
【実施例１】
【００２６】  実施例１を図２ＦＩＧ２Ａに基づいて説明する。図２は本発明の断面図である。球状体の内部に内蔵された磁石や鉄の塊などがラグビーボールの形をしている。
【実施例２】
【００２７】  実施例２を図２ＦＩＧ２Ｂに基づいて説明する。図２は本発明の断面図である。球状体の内部に内蔵された磁石や鉄の塊などが立方体の形をしている。
【実施例３】
【００２８】  実施例３を図２ＦＩＧ２Ｃに基づいて説明する。図２は本発明の断面図である。球状体の内部に内蔵された磁石や鉄の塊などが三角形のものと立方体の形のものの組み合わせになっている。球体の内蔵物はどのような形でもよい。丸型、立方体型だけでなく、円錐、円柱、多角形、星型なども、本発明に内蔵する磁石と鉄の形として適当である。
【実施例４】
【００２９】  実施例４を図２ＦＩＧ２Ｄに基づいて説明する。図２は本発明の断面図である。球状体の内部に内蔵された磁石や鉄の塊が複数入っている。球状体の内蔵物の数は複数個であってもよい。
【符号の説明】
【００３０】１、  球状体
２、  突起
３、  磁石
４、  鉄の塊
【図１】
2014200659.tif 000003
【図２】
2014200659.tif 000004